(57)【要約】【課題】定規側板の湾曲定規面へ面部材を引き付けてその湾曲率を設定する構成により、定規面の湾曲率が異なる複数の定規側板を準備して、これら定規側板を交換使用すると、湾曲定規面に倣った面部材の変形によって定盤の湾曲率を幾種類にも変化させることができる湾曲率可変の型枠用定盤を提供する。【解決手段】板により構成して湾曲率の変更を可能とした面部材２と、前記面部材２の前縁２ａ及び後縁２ｂと平行するように基台３へ着脱手段４により取り付けて、面部材２へ当る上縁を湾曲定規面５とした定規側板６と、この定規側板６の湾曲定規面５へ前記面部材２を引き付けて、面部材２を所要の湾曲率に湾曲させる引付手段７とを備えさせる。【選択図】　　　　図１
2004058471.tif 000002
【特許請求の範囲】
【請求項１】
板により構成して湾曲率の変更を可能とした面部材と、
前記面部材の前縁及び後縁と平行するように基台へ着脱手段により取り付けて、面部材へ当る上縁を湾曲定規面とした定規側板と、
この定規側板の湾曲定規面へ前記面部材を引き付けて、面部材を所要の湾曲率に湾曲させる引付手段とを備えさせた
ことを特徴とする湾曲率可変の型枠用定盤。
【請求項２】
湾曲率の変更を可能とした面部材の長さ方向の中心部を、前後の側板の間に設けた支持部材に支持させてある
ことを特徴とする請求項１記載の湾曲率可変の型枠用定盤。
【請求項３】
湾曲率の変更を可能とした面部材は、その裏面に幅方向の撓みを防止する補強リブが湾曲に支障のない状態で取り付けられている
ことを特徴とする請求項１及び２記載の湾曲率可変の型枠用定盤。
【請求項４】
湾曲率の変更を可能とした面部材は、左右両端の裏側に基台に取り付けた受部材と接合する接合片を設けられている。
ことを特徴とする請求項１〜３記載の湾曲率可変の型枠用定盤。
【発明の詳細な説明】
【０００１】
【発明の属する技術分野】
本発明は、湾曲率を変更することが可能な型枠用定盤に関する。
【０００２】
【従来の技術】
セグメント型枠において、架台と円弧状定盤とを分割成形するようにしたものは、特開平２００２−２８９１１号及び特開平２００２−３６２２０号公報により知られている。この円弧状定盤は、その湾曲率を変更させる必要があるときは、架台はそのまま使用して、湾曲率の異なる円弧状定盤だけを製作すればよいので、架台まで製作する場合に比べて、製作費用と不要になった部材の保管費用は低減されることになる。
【０００３】
しかしながら、円弧状定盤は、前後と左右の周壁の上に面部材を接合して構成するものであって、湾曲率を変更するためには全体を製作し直す必要があり、湾曲率の変更を何回も行なうときは、製作費が嵩むだけでなく、不要となった部材の保管費用も軽視できないものとなるため、更なる改善が強く望まれている状態である。
【０００４】
【発明が解決しようとする課題】
本発明は、前記問題点を解消し、定規側板の湾曲定規面へ面部材を引き付けてその湾曲率を設定する構成を採用することにより、定規面の湾曲率が異なる複数の定規側板を準備して、これら定規側板を交換使用すれば、湾曲定規面に倣った面部材の変形によって定盤の湾曲率を幾種類にも変化させることができる湾曲率可変の型枠用定盤を提供することをその課題とする。
【０００５】
【課題を解決するための手段】
本発明は、上記問題点を解決するため、下記の構成を採用することを特徴とする。
（１）　板により構成して湾曲率の変更を可能とした面部材と、前記面部材の前縁及び後縁と平行するように基台へ着脱手段により取り付けて、面部材へ当る上縁を湾曲定規面とした定規側板と、この定規側板の湾曲定規面へ前記面部材を引き付けて、面部材を所要の湾曲率に湾曲させる引付手段とを備えさせる。
【０００６】
（２）上記請求項１において、湾曲率の変更を可能とした面部材の長さ方向の中心部を、前後の側板の間に設けた支持部材に支持させてある。
【０００７】
（３）上記請求項１又は２において、湾曲率の変更を可能とした面部材は、その裏面に幅方向の撓みを防止する補強リブが湾曲に支障のない状態で取り付けられている
【０００８】
（３）上記請求項１〜３において、湾曲率の変更を可能とした面部材は、左右両端の裏側に基台に取り付けた受部材と接合する接合片を設けられている。
【０００９】
【発明の実施形態】
以下に本発明に係る湾曲率可変の型枠用定盤の実施形態を図面に基づいて説明する。
【００１０】
図１において符号１は、湾曲率可変の型枠用定盤を示す。この定盤１は、板により構成して湾曲率の変更を可能とした面部材２と、該面部材２の前縁２ａ及び後縁２ｂと平行するように基台３へ着脱手段４により取り付けて、面部材２の裏面へ当る上縁を湾曲定規面５とした定規側板６と、面部材２を定規側板６の湾曲定規面５へ引き付けて、所要の湾曲率に湾曲させる引付手段７とにより構成される。
【００１１】
前記面部材２は、適当な厚さの鋼板を所要の長さと幅に切断して、標準の湾曲率に湾曲させたものであり、この面部材２は、定規側板６の湾曲定規面５上へ乗る位置に保持して置くことが好ましい。このため、前部と後部の定規側板６の間に基台３に固定した補強枠８を設け、この補強枠８から面部材２の左右方向の中央部に向かう支持柱９を立設して、その尖頭部１０を面部材２裏面の中央部へ接合するか、図２に示すようにヒンジ１１により取り付けて置くようにする。
【００１２】
また、面部材２は板構造のため幅方向の撓みを起し易い。このため、前部及び後部の定規側板６の間に位置する裏面には、左右方向の寸法をなるべく小さく、上下方向の寸法をなるべく大きくした補強リブ１２を、図２に示す通り適当に離隔させて所要数を取り付け、面部材２の湾曲を阻害しない補強が行われるようにする。
【００１３】
更に、面部材２は、左右の両端の裏側に図１に示すように接合片１３を取り付け、この接合片１３を基台３の左右の両端部に固定した傾斜受部材１４に接合して、面部材２の両端部も正確な湾曲面を構成させる。このため、接合片１３の傾斜角度は、面部材２の湾曲率を図１に示す状態から図５及び図６に示すように変化させると、これに応じて図５及び図６の通り変化するため、接合片１３を接合する傾斜受部材１４は、接合片１３の角度変化に適合する傾斜角度のものに交換して、面部材２の端末が常に正確な湾曲面を保持できるようにする。
【００１４】
前記定規側板６は、厚い鋼板により円弧状の正面形状をなして、両端の下側にそれぞれ取付脚１５を有し、上面が湾曲定規面５となるように構成されて、この湾曲定規面５で面部材２の湾曲率の設定を行なうものである。従って、図１、図５、図６に一例を示すように湾曲率が異なる複数の定規側板６を準備して、これら定規側板６における水平片を、ボルト、ナットの着脱手段４により基台３へ取り付けて交換可能とし、取り付けた定規側板６の湾曲定規面５へ引付手段７により面部材２を引き付けることにより湾曲率が異なる円弧状定盤１を構成させる。
【００１５】
面部材２を定規側板６の湾曲定規面５へ引付けて、所定の湾曲面に湾曲した状態で固定する引付手段７の一例は、図３に示す通り、定規側板６に接近させて面部材２の裏側に取付けたブラケット１６に、先端が定規側板６の下縁よりも下に延びるねじ棒１７の頭１８を軸１９により取り付けて、このねじ棒１７に係合凹部２０が定規側板６の下縁に係合する抑え駒２１を嵌合し、この抑え駒２１をねじ棒１７のねじ２２に締付ナット２３とロックナット２４を螺合して押し上げると、面部材２が定規側板６へ引き付けられる構成とする。
【００１６】
引付手段７の他の例は、図４に示す通り、定規側板６に接近させて面部材２の裏側にＬ型材２５を取り付け、このＬ型材２５に対応させて定規側板６の下縁に突片２６を取り付ける。そして、Ｌ型材２５の水平片２５ａにクランプ２７の固定顎２７ａを掛け、突片２６に可動顎２７ｂを対応させて、ハンドル２８により２９を回転させて可動顎２７ｂを押し上げると、面部材２が定規側板６へ引き付けられる構成とする。なお、引付手段７は前記した２例に限定されるものではなく、同じ目的が達成されるものであれば各種の機構を採用できる。
【００１７】
図７において符号３０は、定盤１の左右両側に妻枠３１を取り付け、前側と後側（図示せず）に起伏または進退自在に配置した側枠３２を組み付けて形成した型枠である。この型枠３０は定盤１の湾曲率を変更することにより半径が異なる種々のセグメントを形成することができる。
【００１８】
前記実施形態に示す湾曲率可変の型枠用定盤は、中間の湾曲率の定盤１を形成するときは、図１、図２に示すように中間の湾曲率の定規側板６を用い、その両端下部に設けた取付脚１５を取付手段４により基台３へ取り付ける。そして、前後の定規側板６の間には、基台３の中央部に位置する補強枠８を取り付けて、この補強枠８に後記側枠のストッパーの役目を果させる。
【００１９】
次に、前後の定規側板６の上へ前縁部と後縁部が湾曲定規面５へ乗るように面部材２を乗せて、その長さ方向の中心部の裏側を、図２に示すヒンジ１１によるか、溶接によって補強枠８に付設した支持柱９の尖頭部１０へ連結して、面部材２を位置ずれや離脱を起さないように安定させる。
【００２０】
面部材２が安定したら、図３に示す引付手段７を用いる場合は、裏面へブラケット１６により取り付けられた所要数のねじ棒１７に嵌合されている抑え駒２１を、係合凹部２０が定規側板６の下縁に係合するように押し上げて置いて、ねじ２２に螺合した締付ナット２３を締め付ける。すると、ねじ棒１７により面部材２が引き下げられて、その裏面を湾曲定規面５に密着させ、表面が希望する湾曲面となる円弧状定盤１を構成するから、面部材２の左右の端部に取り付けた接合片１３をこれに適合するように形成した傾斜受部材１４に接合すれば、図１に示す通り中間の湾曲率に湾曲した円弧状定盤１が完成する。
【００２１】
また、中間の湾曲率よりも小さい図５に示す通りの湾曲率の円弧状定盤１を構成するときは、定規側板６を図５のものと交換するとともに、必要に応じて支持柱９と尖頭部１０との間に間座３３を挿入し、中間の湾曲率よりも大きい図６に示す湾曲率の円弧状定盤１を構成するときは、定規側板６を図６のものと交換して、前記同様引付手段７により面部材２を湾曲定規面５へ引付け固定して、接合片１３を傾斜受部材１４に接合する操作を行なえば、湾曲率が異なる３種類の円弧状定盤１を構成することができるものであり、定規側板６の種類を増やせば、更に湾曲率の異なる多種類の円弧状定盤１を形成することができる。
【００２２】
【発明の効果】
（１）請求項１の効果　定規面の湾曲率が異なる定規側板を複数個準備しておいて、これらの定規側板を交換使用すれば、湾曲定規面に倣った面部材の変化により、同じ円弧状定盤を湾曲率が異なる幾つもの円弧状定盤に変化させることができる。従って、湾曲率が異なる幾種類もの円弧状定盤を必要とする場合も、製作費用が抑えられて、しかも、変更により不要となる部材が少ないため、保管に要する費用も僅かとなるものである。
【００２３】
（２）請求項２の効果　面部材がその長さ方向の中心部を支持部材に支持されて安定し、移動や脱落を生じないため、面部材を定規側板に引付固定する作業を安全に能率よく行なうことができる。
【００２４】
（３）請求項３の効果　面部材を定規に倣って自由に変形させることができて、しかも、面部材の幅方向の撓みは完全に防止される。
【００２５】
（４）請求項４の効果　面部材はその左右両端に接合片を取り付けて、この接合片を基台に支持される傾斜受部材に接合するため、面部材の両端をも正確な湾曲面とすることができる。
【図面の簡単な説明】
【図１】本発明に係る湾曲率可変の型枠用定盤を定規側板に面部材を引付固定して形成した状態の縦断正面図である。
【図２】定規側板に面部材を取付ける前の状態を示す縦断正面図である。
【図３】定規側板へ面部材を引付け固定した状態の一例を示す縦断正面図である。
【図４】定規側板へ面部材を引付け固定した状態の他の例を示す縦断正面図である。
【図５】図１よりも湾曲率が小さい定規側板に面部材を引付固定して形成した湾曲率可変の型枠用定盤の縦断正面図である。
【図６】図１よりも湾曲率が大きい定規側板に面部材を引付固定して形成した湾曲率可変の型枠用定盤の縦断正面図である。
【図７】図１に示す湾曲率可変の型枠用定盤を利用して形成した型枠の縦断正面図である。
【符号の説明】
１　定盤
２　面部材
３　基台
４　着脱手段
５　湾曲定規面
６　定規側板
７　引付手段
【図１】
2004058471.tif 000003
【図２】
2004058471.tif 000004
【図３】
2004058471.tif 000005
【図４】
2004058471.tif 000006
【図５】
2004058471.tif 000007
【図６】
2004058471.tif 000008
【図７】
2004058471.tif 000009